(57)【要約】【課題】本発明は展延性がある筆筒を開示した。【解決手段】筆筒ベースを含み、前記筆筒ベースの上側には構成が同じで、且つ五角形に呈している五つの透明材質の側筒が設置され、前側の二つの前記側筒の相対している端面は当接し、ほかの側の前記側筒の間が互いに二つずつ回転できるように連結され、後側の前記側筒の下端が下へ伸びており、且つ前記筆筒ベースと固定的に連結され、前記側筒の中にはそれぞれ上方に開口した筒チャンバが設置され、本発明は構成が簡単で、操作が便利で、筆筒をペンや文具の長さ又は外形により二つの置きチャンバに分け、それにより筆筒の容量が大きくなり、また、取る時、側筒は直接に広がり、底筒を上昇連動させることができ、それにより文具を取ると選ぶのに便利を与える。【選択図】図１
2020175638.tif 000002
【特許請求の範囲】
【請求項１】
筆筒ベースを含み、前記筆筒ベースの上側には構成が同じで、且つ五角形に呈している五つの透明材質の側筒が設置され、前側の二つの前記側筒の相対している端面は当接し、ほかの側の前記側筒の間が互いに二つずつ回転できるように連結され、後側の前記側筒の下端が下へ伸びており、且つ前記筆筒ベースと固定的に連結され、前記側筒の中にはそれぞれ上方に開口した筒チャンバが設置され、左右両側の二つの前記側筒の相対している端にはそれぞれ相対的に開口したトーションばねが設置され、前記トーションばねの間には凹溝が固定的に設置され、前側の前記側筒の下端には引っ掛かり溝が設置され、前記筆筒ベースの中にはロック装置が設置され、前記ロック装置と前記引っ掛かり溝とが互いに引っ掛かって連結されて前記側筒をロックでき、前側の二つの前記側筒のうち互いに離れている側の下端面には固定ロッドが固定的に設置され、前記筆筒ベースの中には左右対称である回転溝が設置され、前記回転溝の中には回転軸により不規則な回転ギアが回転できるように設置され、前記回転軸には回転ロッドが固定的に設置され、前記回転ロッドの中には貫通溝が設置され、前記回転溝の下端壁の中には軌跡溝が連通するように設置され、前記軌跡溝の中にはスライドブロックがスライドできるように設置され、前記固定ロッドの下端が前記貫通溝を貫通して前記スライドブロックと固定的に連結され、前記スライドブロックのうち互いに離れている端と前記軌跡溝との間には伸縮ばねが固定的に設置され、五つの前記側筒の間が空きチャンバを形成し、前記空きチャンバの中には下端面が前記筆筒ベースと固定的に連結されている円筒が設置され、前記円筒の中には昇降チャンバが設置され、前記昇降チャンバの外側には環状溝が設置され、前記環状溝の中には透明材質である底筒がスライドできるように設置され、前記底筒の中には前記昇降チャンバと連通している凹チャンバが設置され、前記昇降チャンバの外側には昇降装置が設置され、前記昇降装置と前記底筒とが固定的に連結され、
前記側筒が外側へ広がる時、前記底筒を上昇連動させることを特徴とする展延性がある筆筒。
【請求項２】
前記ロック装置は上方に開口した空き溝を含み、前記空き溝の中には左右対称である引っ掛かりブロックが設置され、前記引っ掛かりブロックの上端が前記引っ掛かり溝の中に伸びて前記側筒をロックし、前記引っ掛かりブロックの下端と前記空き溝との間には圧縮ばねが固定的に設置され、前記引っ掛かりブロックの中には開き溝が設置され、前記空き溝の中には前記開き溝を貫通している連結軸が回転できるように設置され、前記開き溝の中の前記連結軸にはカムが固定的に設置され、前記連結軸の右端が外部空間に伸びており、且つ前記連結軸の右端には回転ブロックが固定的に設置され、前記連結軸にはネジりばねが固定的に設置され、
前記回転ブロックを回転させ、それにより前記引っ掛かりブロックが前記引っ掛かり溝との引っ掛かり状態から離脱し、前記側筒を解錠することを特徴とする請求項１に記載の展延性がある筆筒。
【請求項３】
前記昇降装置は左右対称であり、且つ前記昇降チャンバと連通している昇降溝を含み、前記昇降溝の中には上端が前記昇降溝の上端壁と回転できるように連結されているネジ軸が回転できるように設置され、前記ネジ軸には連結ブロックがネジ山により連結され、左右の前記連結ブロックのうち互いに接近している端がそれぞれ前記底筒と固定的に連結され、前記昇降溝の下側には連通溝が連通するように設置され、前記ネジ軸の下端が前記連通溝の中に伸びており、且つ前記ネジ軸には回転輪が固定的に設置され、前記連通溝と前記回転溝とが連通しており、前記回転溝の中には前記回転ギアと噛み合っている噛合ギアが回転できるように設置され、前記噛合ギアと前記回転輪との間はベルトにより動力が伝達できるように連結され、
前記回転ギアが回転して前記ネジ軸を回転連動させ、それにより前記底筒が昇降して文具を取ることに便利を与えることを特徴とする請求項１に記載の展延性がある筆筒。
【発明の詳細な説明】
【技術分野】
【０００１】
本発明は文具技術分野に関わり、具体的には展延性がある筆筒である。
【背景技術】
【０００２】
今までの筆筒の構成が固定されており、ペンが筆筒の中に置かれると、回転して傾斜しやすく、筆筒の中心の空間を占め、筆筒の容量を小さくし、またペンを取ると置く過程にはすでに筆筒の中に置かれたもとの文具の位置を乱し、なお、小さくて不規則な文具（例えば、消しゴムなど）を筆筒の底部に置くと、取りにくく、従って、既存の筆筒を更に改善し、それにより筆筒の使用の利便性を高める。
【先行技術文献】
【特許文献】
【０００３】
【特許文献１】中国特許出願公開第108128069号明細書
【発明の概要】
【発明が解決しようとする課題】
【０００４】
本発明は展延性がある筆筒を提供し、既存技術にある上記欠点を解消することを目的とする。
【課題を解決するための手段】
【０００５】
本発明の展延性がある筆筒は、筆筒ベースを含み、前記筆筒ベースの上側には構成が同じで、且つ五角形に呈している五つの透明材質の側筒が設置され、前側の二つの前記側筒の相対している端面は当接し、ほかの側の前記側筒の間が互いに二つずつ回転できるように連結され、後側の前記側筒の下端が下へ伸びており、且つ前記筆筒ベースと固定的に連結され、前記側筒の中にはそれぞれ上方に開口した筒チャンバが設置され、左右両側の二つの前記側筒の相対している端にはそれぞれ相対的に開口したトーションばねが設置され、前記トーションばねの間には凹溝が固定的に設置され、前側の前記側筒の下端には引っ掛かり溝が設置され、前記筆筒ベースの中にはロック装置が設置され、前記ロック装置と前記引っ掛かり溝とが互いに引っ掛かって連結されて前記側筒をロックでき、前側の二つの前記側筒のうち互いに離れている側の下端面には固定ロッドが固定的に設置され、前記筆筒ベースの中には左右対称である回転溝が設置され、前記回転溝の中には回転軸により不規則な回転ギアが回転できるように設置され、前記回転軸には回転ロッドが固定的に設置され、前記回転ロッドの中には貫通溝が設置され、前記回転溝の下端壁の中には軌跡溝が連通するように設置され、前記軌跡溝の中にはスライドブロックがスライドできるように設置され、前記固定ロッドの下端が前記貫通溝を貫通して前記スライドブロックと固定的に連結され、前記スライドブロックのうち互いに離れている端と前記軌跡溝との間には伸縮ばねが固定的に設置され、五つの前記側筒の間が空きチャンバを形成し、前記空きチャンバの中には下端面が前記筆筒ベースと固定的に連結されている円筒が設置され、前記円筒の中には昇降チャンバが設置され、前記昇降チャンバの外側には環状溝が設置され、前記環状溝の中には透明材質である底筒がスライドできるように設置され、前記底筒の中には前記昇降チャンバと連通している凹チャンバが設置され、前記昇降チャンバの外側には昇降装置が設置され、前記昇降装置と前記底筒とが固定的に連結され、
前記側筒が外側へ広がる時、前記底筒を上昇連動させる。
【０００６】
さらなる技術プランとして、前記ロック装置は上方に開口した空き溝を含み、前記空き溝の中には左右対称である引っ掛かりブロックが設置され、前記引っ掛かりブロックの上端が前記引っ掛かり溝の中に伸びて前記側筒をロックし、前記引っ掛かりブロックの下端と前記空き溝との間には圧縮ばねが固定的に設置され、前記引っ掛かりブロックの中には開き溝が設置され、前記空き溝の中には前記開き溝を貫通している連結軸が回転できるように設置され、前記開き溝の中の前記連結軸にはカムが固定的に設置され、前記連結軸の右端が外部空間に伸びており、且つ前記連結軸の右端には回転ブロックが固定的に設置され、前記連結軸にはネジりばねが固定的に設置され、
前記回転ブロックを回転させ、それにより前記引っ掛かりブロックが前記引っ掛かり溝との引っ掛かり状態から離脱し、前記側筒を解錠する。
【０００７】
さらなる技術プランとして、前記昇降装置は左右対称であり、且つ前記昇降チャンバと連通している昇降溝を含み、前記昇降溝の中には上端が前記昇降溝の上端壁と回転できるように連結されているネジ軸が回転できるように設置され、前記ネジ軸には連結ブロックがネジ山により連結され、左右の前記連結ブロックのうち互いに接近している端がそれぞれ前記底筒と固定的に連結され、前記昇降溝の下側には連通溝が連通するように設置され、前記ネジ軸の下端が前記連通溝の中に伸びており、且つ前記ネジ軸には回転輪が固定的に設置され、前記連通溝と前記回転溝とが連通しており、前記回転溝の中には前記回転ギアと噛み合っている噛合ギアが回転できるように設置され、前記噛合ギアと前記回転輪との間はベルトにより動力が伝達できるように連結され、
前記回転ギアが回転して前記ネジ軸を回転連動させ、それにより前記底筒が昇降して文具を取ることに便利を与える。
【発明の効果】
【０００８】
本発明の有益な効果は：本発明は構成が簡単で、操作が便利で、筆筒をペンや文具の長さ又は外形により二つの置きチャンバに分け、それにより筆筒の容量が大きくなり、また、取る時、側筒は直接に広がり、底筒を上昇連動させることができ、それにより文具を取ると選ぶのに便利を与え、この筆筒の操作が簡便で、使用が便利である。
【図面の簡単な説明】
【０００９】
【図１】図１は本発明の展延性がある筆筒の内部全体構成概略図
【図２】図２は本発明の図１の中の「Ａ−Ａ」方向の構成概略図
【図３】図３は本発明の図２の中の「Ｂ−Ｂ」方向の構成概略図
【図４】図４は本発明の図１の中の「Ｃ−Ｃ」方向の構成概略図
【図５】図５は本発明の図１の中の「Ｄ」の拡大構成概略図
【発明を実施するための形態】
【００１０】
次に図１−５を合わせて本発明を詳しく説明する。意思の疎通に便利なため、後文に出る方位を以下の通りに規定する：後文に出る上下左右前後方向は図１本体の投影関係の上下左右前後方向と一致する。
【００１１】
図１−５を参照し、本発明の展延性がある筆筒は、筆筒ベース１０を含み、前記筆筒ベース１０の上側には構成が同じで、且つ五角形に呈している五つの透明材質の側筒１１が設置され、前側の二つの前記側筒１１の相対している端面は当接し、ほかの側の前記側筒１１の間が互いに二つずつ回転できるように連結され、後側の前記側筒１１の下端が下へ伸びており、且つ前記筆筒ベース１０と固定的に連結され、前記側筒１１の中にはそれぞれ上方に開口した筒チャンバ１２が設置され、左右両側の二つの前記側筒１１の相対している端にはそれぞれ相対的に開口したトーションばね２３が設置され、前記トーションばね２３の間には凹溝２２が固定的に設置され、前側の前記側筒１１の下端には引っ掛かり溝１３が設置され、前記筆筒ベース１０の中にはロック装置１００が設置され、前記ロック装置１００と前記引っ掛かり溝とが互いに引っ掛かって連結されて前記側筒１１をロックでき、前側の二つの前記側筒１１のうち互いに離れている側の下端面には固定ロッド３５が固定的に設置され、前記筆筒ベース１０の中には左右対称である回転溝２８が設置され、前記回転溝２８の中には回転軸３０により不規則な回転ギア２９が回転できるように設置され、前記回転軸３０には回転ロッド３４が固定的に設置され、前記回転ロッド３４の中には貫通溝３３が設置され、前記回転溝２８の下端壁の中には軌跡溝３１が連通するように設置され、前記軌跡溝３１の中にはスライドブロック３２がスライドできるように設置され、前記固定ロッド３５の下端が前記貫通溝３３を貫通して前記スライドブロック３２と固定的に連結され、前記スライドブロック３２のうち互いに離れている端と前記軌跡溝３１との間には伸縮ばね２４が固定的に設置され、五つの前記側筒１１の間が空きチャンバ１４を形成し、前記空きチャンバ１４の中には下端面が前記筆筒ベース１０と固定的に連結されている円筒１５が設置され、前記円筒１５の中には昇降チャンバ２７が設置され、前記昇降チャンバ２７の外側には環状溝２６が設置され、前記環状溝２６の中には透明材質である底筒２０がスライドできるように設置され、前記底筒２０の中には前記昇降チャンバ２７と連通している凹チャンバ２１が設置され、前記昇降チャンバ２７の外側には昇降装置２００が設置され、前記昇降装置２００と前記底筒２０とが固定的に連結され、
前記側筒１１が外側へ広がる時、前記底筒２０を上昇連動させる。
【００１２】
有益なように、前記ロック装置１００は上方に開口した空き溝４０を含み、前記空き溝４０の中には左右対称である引っ掛かりブロック４４が設置され、前記引っ掛かりブロック４４の上端が前記引っ掛かり溝１３の中に伸びて前記側筒１１をロックし、前記引っ掛かりブロック４４の下端と前記空き溝４０との間には圧縮ばね４６が固定的に設置され、前記引っ掛かりブロック４４の中には開き溝４５が設置され、前記空き溝４０の中には前記開き溝４５を貫通している連結軸４１が回転できるように設置され、前記開き溝４５の中の前記連結軸４１にはカム４３が固定的に設置され、前記連結軸４１の右端が外部空間に伸びており、且つ前記連結軸４１の右端には回転ブロック４２が固定的に設置され、前記連結軸４１にはネジりばね５０が固定的に設置され、
前記回転ブロック４２を回転させ、それにより前記引っ掛かりブロック４４が前記引っ掛かり溝１３との引っ掛かり状態から離脱し、前記側筒１１を解錠する。
【００１３】
有益なように、前記昇降装置２００は左右対称であり、且つ前記昇降チャンバ２７と連通している昇降溝１６を含み、前記昇降溝１６の中には上端が前記昇降溝１６の上端壁と回転できるように連結されているネジ軸１７が回転できるように設置され、前記ネジ軸１７には連結ブロック１８がネジ山により連結され、左右の前記連結ブロック１８のうち互いに接近している端がそれぞれ前記底筒２０と固定的に連結され、前記昇降溝１６の下側には連通溝３８が連通するように設置され、前記ネジ軸１７の下端が前記連通溝３８の中に伸びており、且つ前記ネジ軸１７には回転輪３９が固定的に設置され、前記連通溝３８と前記回転溝２８とが連通しており、前記回転溝２８の中には前記回転ギア２９と噛み合っている噛合ギア３６が回転できるように設置され、前記噛合ギア３６と前記回転輪３９との間はベルト２５により動力が伝達できるように連結され、
前記回転ギア２９が回転して前記ネジ軸１７を回転連動させ、それにより前記底筒２０が昇降して文具を取ることに便利を与える。
【００１４】
初期状態にある時、引っ掛かりブロック４４と引っ掛かり溝１３とは互いに引っ掛かるように連結され、凹溝２２が圧縮状態にあり、伸縮ばね２４が引っ張り状態にある。
【００１５】
使用する時、長さが比較的に大きいペンを筒チャンバ１２の中に垂直に置き、長さが比較的に小さく又は形が不規則な文具を凹チャンバ２１の中に置き、整然で認識しやすく、取る時、直接に筒チャンバ１２の上側から文具を取ることができ、ペンの外形の差が小さい場合にペンを選ぶ時、回転ブロック４２を回転させ、それによりカム４３が回転ブロック４２と共に回転し、また引っ掛かりブロック４４を推し動かして降下させ、それにより引っ掛かりブロック４４が引っ掛かり溝１３との引っ掛かり状態から離脱し、回転ブロック４２を放し、ねじりばね５０の作用の下でカム４３が引っ掛かりブロック４４を復帰連動させ、前側の二つの側筒１１が凹溝２２の作用の下で外側へ回転して広がり、スライドブロック３２が伸縮ばね２４の作用の下で後側へスライドし、固定ロッド３５により側筒１１を連動させて後側へ回転させて広がらせ、この時、五つの側筒１１が水平方向に広がって置かれ、筒チャンバ１２の中のペンが一目瞭然で選択に便利であり、スライドブロック３２がスライドする過程において、回転ロッド３４を回転連動させ、それにより回転ギア２９が回転ロッド３４とともに回転し、これにより噛合ギア３６が回転し、ベルト２５によりネジ軸１７を回転させ、それにより連結ブロック１８が底筒２０を上昇連動させ、凹チャンバ２１の中の文具を上へ推し、それにより文具を取りやすく、使用した後、前側の二つの側筒１１を対向に推し、それにより引っ掛かり溝１３と引っ掛かりブロック４４とが互いに引っ掛かって連結され、側筒１１をロックし、それによりスライドブロック３２が側筒１１とと共に対向に移動し、それにより回転ギア２９が反転し、それによりネジ軸１７が反転し、それにより底筒２０が降下し、筆筒が初期の位置の状態に戻る。
【００１６】
本発明の有益な効果は：本発明は構成が簡単で、操作が便利で、筆筒をペンや文具の長さ又は外形により二つの置きチャンバに分け、それにより筆筒の容量が大きくなり、また、取る時、側筒は直接に広がり、底筒を上昇連動させることができ、それにより文具を取ると選ぶのに便利を与え、この筆筒の操作が簡便で、使用が便利である。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020175638.tif 000003
【図２】
2020175638.tif 000004
【図３】
2020175638.tif 000005
【図４】
2020175638.tif 000006
【図５】
2020175638.tif 000007
【手続補正書】
【提出日】令和2年2月8日(2020.2.8)
【手続補正１】
【補正対象書類名】特許請求の範囲
【補正対象項目名】全文
【補正方法】変更
【補正の内容】
【特許請求の範囲】
【請求項１】
筆筒ベースを含み、前記筆筒ベースの上側には構成が同じで、且つ五角形に呈している五つの透明材質の側筒が設置され、前側の二つの前記側筒の相対している端面は当接し、前側の二つの前記側筒以外の三つの前記側筒が互いに回転できるように連結され、後側の前記側筒の下端が下へ伸びており、且つ前記筆筒ベースと固定的に連結され、前記側筒の中にはそれぞれ上方に開口した筒チャンバが設置され、左右両側の二つの前記側筒の相対している端にはそれぞれ相対的に開口した凹溝が形成され、前記凹溝の間にはトーションばねが固定的に設置され、前側の前記側筒の下端には引っ掛かり溝が設置され、前記筆筒ベースの中にはロック装置が設置され、前記ロック装置と前記引っ掛かり溝とが互いに引っ掛かって連結されて前記側筒をロックでき、前側の二つの前記側筒のうち互いに離れている側の下端面には固定ロッドが固定的に設置され、前記筆筒ベースの中には左右対称である回転溝が設置され、前記回転溝の中には回転軸により扇形の回転ギアが回転できるように設置され、前記回転軸には回転ロッドが固定的に設置され、前記回転ロッドの中には貫通溝が設置され、前記回転溝の下端壁の中には軌跡溝が連通するように設置され、前記軌跡溝の中にはスライドブロックがスライドできるように設置され、前記固定ロッドの下端が前記貫通溝を貫通して前記スライドブロックと固定的に連結され、前記スライドブロックのうち互いに離れている端と前記軌跡溝との間には伸縮ばねが固定的に設置され、五つの前記側筒の間が空きチャンバを形成し、前記空きチャンバの中には下端面が前記筆筒ベースと固定的に連結されている円筒が設置され、前記円筒の中には昇降チャンバが設置され、前記昇降チャンバの外側には環状溝が設置され、前記環状溝の中には透明材質である底筒がスライドできるように設置され、前記底筒の中には前記昇降チャンバと連通している凹チャンバが設置され、前記昇降チャンバの外側には昇降装置が設置され、前記昇降装置と前記底筒とが固定的に連結され、
前記ロック装置は上方に開口した空き溝を含み、前記空き溝の中には左右対称である引っ掛かりブロックが設置され、前記引っ掛かりブロックの上端が前記引っ掛かり溝の中に伸びて前記側筒をロックし、前記引っ掛かりブロックの下端と前記空き溝との間には圧縮ばねが固定的に設置され、前記引っ掛かりブロックの中には開き溝が設置され、前記空き溝の中には前記開き溝を貫通している連結軸が回転できるように設置され、前記開き溝の中の前記連結軸にはカムが固定的に設置され、前記連結軸の右端が外部空間に伸びており、且つ前記連結軸の右端には回転ブロックが固定的に設置され、前記連結軸にはネジりばねが固定的に設置され、
前記回転ブロックを回転させ、それにより前記引っ掛かりブロックが前記引っ掛かり溝との引っ掛かり状態から離脱し、前記側筒を解錠し、
前記昇降装置は左右対称であり、且つ前記昇降チャンバと連通している昇降溝を含み、前記昇降溝の中には上端が前記昇降溝の上端壁と回転できるように連結されているネジ軸が回転できるように設置され、前記ネジ軸には連結ブロックがネジ山により連結され、左右の前記連結ブロックのうち互いに接近している端がそれぞれ前記底筒と固定的に連結され、前記昇降溝の下側には連通溝が連通するように設置され、前記ネジ軸の下端が前記連通溝の中に伸びており、且つ前記ネジ軸には回転輪が固定的に設置され、前記連通溝と前記回転溝とが連通しており、前記回転溝の中には前記回転ギアと噛み合っている噛合ギアが回転できるように設置され、前記噛合ギアと前記回転輪との間はベルトにより動力が伝達できるように連結され、
前記回転ギアが回転して前記ネジ軸を回転連動させ、それにより前記底筒が昇降して文具を取ることに便利を与えることを特徴とする展延性がある筆筒。
【手続補正２】
【補正対象書類名】明細書
【補正対象項目名】全文
【補正方法】変更
【補正の内容】
【発明の詳細な説明】
【技術分野】
【０００１】
本発明は文具技術分野に関わり、具体的には展延性がある筆筒である。
【背景技術】
【０００２】
今までの筆筒の構成が固定されており、ペンが筆筒の中に置かれると、回転して傾斜しやすく、筆筒の中心の空間を占め、筆筒の容量を小さくし、またペンを取ると置く過程にはすでに筆筒の中に置かれたもとの文具の位置を乱し、なお、小さくて不規則な文具（例えば、消しゴムなど）を筆筒の底部に置くと、取りにくく、従って、既存の筆筒を更に改善し、それにより筆筒の使用の利便性を高める。
【先行技術文献】
【特許文献】
【０００３】
【特許文献１】中国特許出願公開第１０８１２８０６９号明細書
【発明の概要】
【発明が解決しようとする課題】
【０００４】
本発明は展延性がある筆筒を提供し、既存技術にある上記欠点を解消することを目的とする。
【課題を解決するための手段】
【０００５】
本発明の展延性がある筆筒は、筆筒ベースを含み、前記筆筒ベースの上側には構成が同じで、且つ五角形に呈している五つの透明材質の側筒が設置され、前側の二つの前記側筒の相対している端面は当接し、前側の二つの前記側筒以外の三つの前記側筒が互いに回転できるように連結され、後側の前記側筒の下端が下へ伸びており、且つ前記筆筒ベースと固定的に連結され、前記側筒の中にはそれぞれ上方に開口した筒チャンバが設置され、左右両側の二つの前記側筒の相対している端にはそれぞれ相対的に開口した凹溝が形成され、前記凹溝の間にはトーションばねが固定的に設置され、前側の前記側筒の下端には引っ掛かり溝が設置され、前記筆筒ベースの中にはロック装置が設置され、前記ロック装置と前記引っ掛かり溝とが互いに引っ掛かって連結されて前記側筒をロックでき、前側の二つの前記側筒のうち互いに離れている側の下端面には固定ロッドが固定的に設置され、前記筆筒ベースの中には左右対称である回転溝が設置され、前記回転溝の中には回転軸により扇形の回転ギアが回転できるように設置され、前記回転軸には回転ロッドが固定的に設置され、前記回転ロッドの中には貫通溝が設置され、前記回転溝の下端壁の中には軌跡溝が連通するように設置され、前記軌跡溝の中にはスライドブロックがスライドできるように設置され、前記固定ロッドの下端が前記貫通溝を貫通して前記スライドブロックと固定的に連結され、前記スライドブロックのうち互いに離れている端と前記軌跡溝との間には伸縮ばねが固定的に設置され、五つの前記側筒の間が空きチャンバを形成し、前記空きチャンバの中には下端面が前記筆筒ベースと固定的に連結されている円筒が設置され、前記円筒の中には昇降チャンバが設置され、前記昇降チャンバの外側には環状溝が設置され、前記環状溝の中には透明材質である底筒がスライドできるように設置され、前記底筒の中には前記昇降チャンバと連通している凹チャンバが設置され、前記昇降チャンバの外側には昇降装置が設置され、前記昇降装置と前記底筒とが固定的に連結され、
前記側筒が外側へ広がる時、前記底筒を上昇連動させる。
【０００６】
さらなる技術プランとして、前記ロック装置は上方に開口した空き溝を含み、前記空き溝の中には左右対称である引っ掛かりブロックが設置され、前記引っ掛かりブロックの上端が前記引っ掛かり溝の中に伸びて前記側筒をロックし、前記引っ掛かりブロックの下端と前記空き溝との間には圧縮ばねが固定的に設置され、前記引っ掛かりブロックの中には開き溝が設置され、前記空き溝の中には前記開き溝を貫通している連結軸が回転できるように設置され、前記開き溝の中の前記連結軸にはカムが固定的に設置され、前記連結軸の右端が外部空間に伸びており、且つ前記連結軸の右端には回転ブロックが固定的に設置され、前記連結軸にはネジりばねが固定的に設置され、
前記回転ブロックを回転させ、それにより前記引っ掛かりブロックが前記引っ掛かり溝との引っ掛かり状態から離脱し、前記側筒を解錠する。
【０００７】
さらなる技術プランとして、前記昇降装置は左右対称であり、且つ前記昇降チャンバと連通している昇降溝を含み、前記昇降溝の中には上端が前記昇降溝の上端壁と回転できるように連結されているネジ軸が回転できるように設置され、前記ネジ軸には連結ブロックがネジ山により連結され、左右の前記連結ブロックのうち互いに接近している端がそれぞれ前記底筒と固定的に連結され、前記昇降溝の下側には連通溝が連通するように設置され、前記ネジ軸の下端が前記連通溝の中に伸びており、且つ前記ネジ軸には回転輪が固定的に設置され、前記連通溝と前記回転溝とが連通しており、前記回転溝の中には前記回転ギアと噛み合っている噛合ギアが回転できるように設置され、前記噛合ギアと前記回転輪との間はベルトにより動力が伝達できるように連結され、
前記回転ギアが回転して前記ネジ軸を回転連動させ、それにより前記底筒が昇降して文具を取ることに便利を与える。
【発明の効果】
【０００８】
本発明の有益な効果は：本発明は構成が簡単で、操作が便利で、筆筒をペンや文具の長さ又は外形により二つの置きチャンバに分け、それにより筆筒の容量が大きくなり、また、取る時、側筒は直接に広がり、底筒を上昇連動させることができ、それにより文具を取ると選ぶのに便利を与え、この筆筒の操作が簡便で、使用が便利である。
【図面の簡単な説明】
【０００９】
【図１】図１は本発明の展延性がある筆筒の内部全体構成概略図
【図２】図２は本発明の図１の中の「Ａ−Ａ」方向の構成概略図
【図３】図３は本発明の図２の中の「Ｂ−Ｂ」方向の構成概略図
【図４】図４は本発明の図１の中の「Ｃ−Ｃ」方向の構成概略図
【図５】図５は本発明の図１の中の「Ｄ」の拡大構成概略図
【発明を実施するための形態】
【００１０】
次に図１−５を合わせて本発明を詳しく説明する。意思の疎通に便利なため、後文に出る方位を以下の通りに規定する：後文に出る上下左右前後方向は図１本体の投影関係の上下左右前後方向と一致する。
【００１１】
図１−５を参照し、本発明の展延性がある筆筒は、筆筒ベース１０を含み、前記筆筒ベース１０の上側には構成が同じで、且つ五角形に呈している五つの透明材質の側筒１１が設置され、前側の二つの前記側筒１１の相対している端面は当接し、前側の二つの前記側筒１１以外の三つの前記側筒１１が互いに回転できるように連結され、後側の前記側筒１１の下端が下へ伸びており、且つ前記筆筒ベース１０と固定的に連結され、前記側筒１１の中にはそれぞれ上方に開口した筒チャンバ１２が設置され、左右両側の二つの前記側筒１１の相対している端にはそれぞれ相対的に開口した凹溝２３が形成され、前記凹溝２３の間にはトーションばね２２が固定的に設置され、前側の前記側筒１１の下端には引っ掛かり溝１３が設置され、前記筆筒ベース１０の中にはロック装置１００が設置され、前記ロック装置１００と前記引っ掛かり溝とが互いに引っ掛かって連結されて前記側筒１１をロックでき、前側の二つの前記側筒１１のうち互いに離れている側の下端面には固定ロッド３５が固定的に設置され、前記筆筒ベース１０の中には左右対称である回転溝２８が設置され、前記回転溝２８の中には回転軸３０により扇形の回転ギア２９が回転できるように設置され、前記回転軸３０には回転ロッド３４が固定的に設置され、前記回転ロッド３４の中には貫通溝３３が設置され、前記回転溝２８の下端壁の中には軌跡溝３１が連通するように設置され、前記軌跡溝３１の中にはスライドブロック３２がスライドできるように設置され、前記固定ロッド３５の下端が前記貫通溝３３を貫通して前記スライドブロック３２と固定的に連結され、前記スライドブロック３２のうち互いに離れている端と前記軌跡溝３１との間には伸縮ばね２４が固定的に設置され、五つの前記側筒１１の間が空きチャンバ１４を形成し、前記空きチャンバ１４の中には下端面が前記筆筒ベース１０と固定的に連結されている円筒１５が設置され、前記円筒１５の中には昇降チャンバ２７が設置され、前記昇降チャンバ２７の外側には環状溝２６が設置され、前記環状溝２６の中には透明材質である底筒２０がスライドできるように設置され、前記底筒２０の中には前記昇降チャンバ２７と連通している凹チャンバ２１が設置され、前記昇降チャンバ２７の外側には昇降装置２００が設置され、前記昇降装置２００と前記底筒２０とが固定的に連結され、
前記側筒１１が外側へ広がる時、前記底筒２０を上昇連動させる。
【００１２】
有益なように、前記ロック装置１００は上方に開口した空き溝４０を含み、前記空き溝４０の中には左右対称である引っ掛かりブロック４４が設置され、前記引っ掛かりブロック４４の上端が前記引っ掛かり溝１３の中に伸びて前記側筒１１をロックし、前記引っ掛かりブロック４４の下端と前記空き溝４０との間には圧縮ばね４６が固定的に設置され、前記引っ掛かりブロック４４の中には開き溝４５が設置され、前記空き溝４０の中には前記開き溝４５を貫通している連結軸４１が回転できるように設置され、前記開き溝４５の中の前記連結軸４１にはカム４３が固定的に設置され、前記連結軸４１の右端が外部空間に伸びており、且つ前記連結軸４１の右端には回転ブロック４２が固定的に設置され、前記連結軸４１にはネジりばね５０が固定的に設置され、
前記回転ブロック４２を回転させ、それにより前記引っ掛かりブロック４４が前記引っ掛かり溝１３との引っ掛かり状態から離脱し、前記側筒１１を解錠する。
【００１３】
有益なように、前記昇降装置２００は左右対称であり、且つ前記昇降チャンバ２７と連通している昇降溝１６を含み、前記昇降溝１６の中には上端が前記昇降溝１６の上端壁と回転できるように連結されているネジ軸１７が回転できるように設置され、前記ネジ軸１７には連結ブロック１８がネジ山により連結され、左右の前記連結ブロック１８のうち互いに接近している端がそれぞれ前記底筒２０と固定的に連結され、前記昇降溝１６の下側には連通溝３８が連通するように設置され、前記ネジ軸１７の下端が前記連通溝３８の中に伸びており、且つ前記ネジ軸１７には回転輪３９が固定的に設置され、前記連通溝３８と前記回転溝２８とが連通しており、前記回転溝２８の中には前記回転ギア２９と噛み合っている噛合ギア３６が回転できるように設置され、前記噛合ギア３６と前記回転輪３９との間はベルト２５により動力が伝達できるように連結され、
前記回転ギア２９が回転して前記ネジ軸１７を回転連動させ、それにより前記底筒２０が昇降して文具を取ることに便利を与える。
【００１４】
初期状態にある時、引っ掛かりブロック４４と引っ掛かり溝１３とは互いに引っ掛かるように連結され、トーションばね２２が圧縮状態にあり、伸縮ばね２４が引っ張り状態にある。
【００１５】
使用する時、長さが比較的に大きいペンを筒チャンバ１２の中に垂直に置き、長さが比較的に小さく又は形が不規則な文具を凹チャンバ２１の中に置き、整然で認識しやすく、取る時、直接に筒チャンバ１２の上側から文具を取ることができ、ペンの外形の差が小さい場合にペンを選ぶ時、回転ブロック４２を回転させ、それによりカム４３が回転ブロック４２と共に回転し、また引っ掛かりブロック４４を推し動かして降下させ、それにより引っ掛かりブロック４４が引っ掛かり溝１３との引っ掛かり状態から離脱し、回転ブロック４２を放し、ねじりばね５０の作用の下でカム４３が引っ掛かりブロック４４を復帰連動させ、前側の二つの側筒１１がトーションばね２２の作用の下で外側へ回転して広がり、スライドブロック３２が伸縮ばね２４の作用の下で後側へスライドし、固定ロッド３５により側筒１１を連動させて後側へ回転させて広がらせ、この時、五つの側筒１１が水平方向に広がって置かれ、筒チャンバ１２の中のペンが一目瞭然で選択に便利であり、スライドブロック３２がスライドする過程において、回転ロッド３４を回転連動させ、それにより回転ギア２９が回転ロッド３４とともに回転し、これにより噛合ギア３６が回転し、ベルト２５によりネジ軸１７を回転させ、それにより連結ブロック１８が底筒２０を上昇連動させ、凹チャンバ２１の中の文具を上へ推し、それにより文具を取りやすく、使用した後、前側の二つの側筒１１を対向に推し、それにより引っ掛かり溝１３と引っ掛かりブロック４４とが互いに引っ掛かって連結され、側筒１１をロックし、それによりスライドブロック３２が側筒１１とと共に対向に移動し、それにより回転ギア２９が反転し、それによりネジ軸１７が反転し、それにより底筒２０が降下し、筆筒が初期の位置の状態に戻る。
【００１６】
本発明の有益な効果は：本発明は構成が簡単で、操作が便利で、筆筒をペンや文具の長さ又は外形により二つの置きチャンバに分け、それにより筆筒の容量が大きくなり、また、取る時、側筒は直接に広がり、底筒を上昇連動させることができ、それにより文具を取ると選ぶのに便利を与え、この筆筒の操作が簡便で、使用が便利である。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。